(57)【特許請求の範囲】
【請求項１】
ゴム材を用いた弾性伸縮部材により構成した筋力トレーニング支援バンドであって、幅方向及び長手方向に用いる繊維糸材と幅方向に並べて配した複数本のゴム糸部を縫製して得られる少なくとも長手方向に弾性伸縮可能な帯状の弾性伸縮部材を使用することにより、少なくとも二つ以上の連続したループメンバ部を形成してなることを特徴とする筋力トレーニング支援バンド。
【請求項２】
前記ゴム糸部は、ポリウレタン樹脂を用いたゴム本体部を備えることを特徴とする請求項１記載の筋力トレーニング支援バンド。
【請求項３】
前記ゴム糸部は、前記ゴム本体部の周面に、ナイロン樹脂を用いたナイロン糸材を螺旋状に巻付けてなる被覆部を備えることを特徴とする請求項２記載の筋力トレーニング支援バンド。
【請求項４】
前記繊維糸材には、ポリエステル樹脂を用いることを特徴とする請求項１，２又は３記載の筋力トレーニング支援バンド。
【請求項５】
前記弾性伸縮部材により一つのメインループ部を形成するとともに、このメインループ部における所定の位置を縫い合わせ、三つの縫合固定部を設けることにより、同一サイズとなる四つのループメンバ部を形成してなることを特徴とする請求項１〜４のいずれかに記載の筋力トレーニング支援バンド。
【請求項６】
前記ループメンバ部は、幅を、２０〜３０〔ｍｍ〕の範囲に選定し、かつ全周長を、５００〜６００〔ｍｍ〕の範囲に選定してなることを特徴とする請求項１〜５のいずれかに記載の筋力トレーニング支援バンド。
【発明の詳細な説明】
【技術分野】
【０００１】
本発明は、リハビリやスポーツトレーニング等に用いる弾性伸縮部材により構成した筋力トレーニング支援バンドに関する。
【背景技術】
【０００２】
従来、ゴムを用いた弾性伸縮部材により構成し、リハビリやスポーツトレーニング等に使用する器具類は知られており、特許文献１には、リハビリテーション用のみならず、健常者の筋肉のトレーニング用等に適合でき、かつ、使用法における汎用性を目的とした健康器具が開示され、また、特許文献２には、強靭な体力を持っている人の体力増強、老人のリハビリ、病弱な人の体力増強、病後の体力回復を図るなど、あらゆる人が利用できることを目的とした運動補助器具が開示され、さらに、特許文献３には、強靭な体力を持っている人の体力増強、老人のリハビリ、病弱な人の体力増強、病後の体力回復を図るのに適し、手を使用できない人にとっても、通常の健常人と同じように下半身の筋肉を鍛えることができるようにすることを目的とした運動補助器具が開示されている。
【０００３】
特許文献１に開示される健康器具は、球状体と連結棒とを交互に連結し、全体として伸縮自在な棒状体を形成するとともに、球状体と棒状体とは、その構成材料を天然ゴムまたはシリコンゴムとしたものである。また、特許文献２に開示される運動補助器具は、伸縮性を備え紐状に有するゴム材をリング状に形成してなるリング状ゴム部材と、このリング状ゴム部材を少なくとも２本用い、この２本のリング状ゴム部材を嵌装し任意の一箇所で束ね固定する止め部材とを設け、止め部材を摺動自在に取り付け束ね固定する位置を調整可能にして構成したものである。さらに、特許文献３に開示される運動補助器具は、伸縮性を備え紐状に形成する少なくとも１本のゴム部材と、ゴム部材の端部のそれぞれに固定されるリング部材と、１本のゴム部材の端部を２本に合わせ揃え一端に輪を形成し、２本に揃えたゴム部材に摺動自在に嵌装し任意の一箇所で束ね輪の大きさを調整する調整部材と、調整部材の２本に揃えたゴム部材の開放端側に２本に揃えたゴム部材に摺動自在に嵌装し調整部材がゴム部材の開放側に移動しないように規制する止め部材と、止め部材の２本に揃えたゴム部材の開放端側に摺動自在に嵌装し２つのリング部材によるゴム部材の開く位置を規制する開き位置規制部材により構成したものである。
【先行技術文献】
【特許文献】
【０００４】
【特許文献１】特開平９−１５４９７７号公報
【特許文献２】特開平２００３−２６５６４４号公報
【特許文献３】特開平２００７−３０７３３０号公報
【発明の概要】
【発明が解決しようとする課題】
【０００５】
しかし、上述した従来における弾性伸縮部材により構成した器具類は、次のような問題点があった。
【０００６】
第一に、いずれの場合も、ゴム素材（天然ゴム，合成ゴム）を棒部材，ロープ部材又はチューブ部材に形成し、これらの部材をそのまま構成部品となる弾性伸縮部材として採用する。したがって、使用時には、伸張させる初期に強い引張力が必要になるとともに、戻る際にも強い復元力（ストレッチバック）が働くことになり、使用者に対しては、一時的な過度の負荷が直接体に作用するというマイナス要素が生じる。このマイナス要素は、怪我のリハビリや運動前の準備運動或いは高齢者の使用においては、無視できない問題となり、様々な使用者が安全かつ安心して使用できるようにする観点からは、更なる改善の余地があった。
【０００７】
第二に、複数の部材（部品）により構成するため、必ずしも単純な構成と言えるものではない。結局、製造上の工数アップによる製造性の低下を招くとともに、部品点数の増加に伴うコストアップも無視できない。しかも、構成は複雑化すればするほど、使用パターンの自由度が小さくなり用途も制限される。結局、使用時の多様性（多機能性）を高める観点からも更なる改善の余地があった。
【０００８】
本発明は、このような背景技術に存在する課題を解決した筋力トレーニング支援バンドの提供を目的とするものである。
【課題を解決するための手段】
【０００９】
本発明に係る筋力トレーニング支援バンド１は、上述した課題を解決するため、ゴム材を用いた弾性伸縮部材により構成した筋力トレーニング支援バンドであって、幅方向Ｆｗ及び長手方向Ｆｖに用いる繊維糸材３…と幅方向Ｆｗに並べて配した複数本のゴム糸部４…を縫製して得られる少なくとも長手方向Ｆｖに弾性伸縮可能な帯状の弾性伸縮部材２を使用することにより、少なくとも二つ以上の連続したループメンバ部５ａ，５ｂ…を形成してなることを特徴とする。
【００１０】
この場合、発明の好適な態様により、ゴム糸部４には、ポリウレタン樹脂Ｒｐを用いたゴム本体部４ｍを設けることができるとともに、さらに、このゴム糸部４には、ゴム本体部４ｍの周面４ｍｆに、ナイロン樹脂Ｒｎを用いたナイロン糸材４ｓｃを螺旋状に巻付けてなる被覆部４ｓを設けることができる。また、繊維糸材３…には、ポリエステル樹脂Ｒｅを用いることができる。一方、ループメンバ部５ａ…を形成するに際しては、弾性伸縮部材２により一つのメインループ部１１を形成するとともに、このメインループ部１１における所定の位置を縫い合わせ、三つの縫合固定部１２ｘ…を設けることにより、同一サイズとなる四つのループメンバ部５ａ，５ｂ，５ｃ，５ｄを形成できる。なお、ループメンバ部５ａ，５ｂ…は、幅Ｌｗを、２０〜３０〔ｍｍ〕の範囲に選定し、かつ全周長Ｌｆを、５００〜６００〔ｍｍ〕の範囲に選定できる。
【発明の効果】
【００１１】
このような構成を有する本発明に係る筋力トレーニング支援バンド１によれば、次のような顕著な効果を奏する。
【００１２】
（１）  幅方向Ｆｗ及び長手方向Ｆｖに用いる繊維糸材３…と幅方向Ｆｗに並べて配した複数本のゴム糸部４…を縫製して得られる少なくとも長手方向Ｆｖに弾性伸縮可能な帯状の弾性伸縮部材２を用いるため、一時的かつ過度の負荷（パワー）が使用者に作用してしまう弊害を排除し、スムースに伸縮させることができる。したがって、過度の負荷により悪影響を受けやすい怪我のリハビリや運動前の準備運動或いは高齢者に係わる使用者であっても、安心かつ安全に使用することができる。しかも、各ループメンバ部５ａ，５ｂ…の組合わせが可能なため、負荷の強度を容易に調整することができる。
【００１３】
（２）  帯状の弾性伸縮部材２を使用することにより、少なくとも二つ以上の連続したループメンバ部５ａ，５ｂ…を形成すれば足りるため、全体の構成を単純化させることができる。したがって、製造時の工数低減による製造性及び量産性の向上を図れるとともに、部品点数の削減によるコストダウンにも寄与できる。しかも、構成の単純化故に、使用パターンの自由度が高くなり、使用する際における多様性（多機能性）をより高めることができる。
【００１４】
（３）  好適な態様により、ゴム糸部４に、ポリウレタン樹脂Ｒｐを用いたゴム本体部４ｍを設ければ、ポリウレタン樹脂Ｒｐの物性面から支援バンド１のスムースな伸張作用及びゆっくりした戻し作用に寄与できるとともに、紫外線に強く、かつ耐洗濯性にも優れるため、屋外使用や繰返し使用に最適な支援バンド１を得ることができる。
【００１５】
（４）  好適な態様により、ゴム糸部４に、ナイロン樹脂Ｒｎを用いたナイロン糸材４ｓｃをゴム本体部４ｍの周面４ｍｆに対して螺旋状に巻付けてなる被覆部４ｓを設ければ、被覆部４ｓによりゴム糸本体部４ｍを保護できるため、ゴム糸部４、更には支援バンド１の耐久性を高めることができるとともに、ゴム本体部４ｍのガイド機能を発揮することにより、伸縮作用の安定性及び円滑性を高めることができる。
【００１６】
（５）  好適な態様により、繊維糸材３…に、ポリエステル樹脂Ｒｅを用いれば、ポリエステル樹脂Ｒｅの物性面に基づく良質な支援バンド１を実現できる。具体的には、強度及び寸法安定性に優れることに加え、速乾性及び防皺性に優れた支援バンド１を得ることができる。
【００１７】
（６）  好適な態様により、ループメンバ部５ａ…を形成するに際し、弾性伸縮部材２により一つのメインループ部１１を形成するとともに、このメインループ部１１における所定の位置を縫い合わせ、三つの縫合固定部１２ｘ…を設けることにより、同一サイズとなる四つのループメンバ部５ａ，５ｂ，５ｃ，５ｄを形成するようにすれば、支援バンド１の製造容易性をより高めることができるとともに、特に、長手方向Ｆｖにおける十分な引張強度を確保できる。
【００１８】
（７）  好適な態様により、ループメンバ部５ａ，５ｂ…における、幅Ｌｗを、２０〜３０〔ｍｍ〕の範囲に選定し、かつ全周長Ｌｆを、５５０〜６００〔ｍｍ〕の範囲に選定すれば、手で持ち易くかつ使い易いなど、最も望ましいディメンションを有する形態として実施できる。
【図面の簡単な説明】
【００１９】
【図１】本発明の好適実施形態に係る筋力トレーニング支援バンドの斜視図、
【図２】図１中Ａ−Ａ線における模式的断面図、
【図３】同筋力トレーニング支援バンドにおけるゴム糸部の構成図、
【図４】同筋力トレーニング支援バンドの伸張作用説明図、
【図５】同筋力トレーニング支援バンドの平面図、
【図６】同筋力トレーニング支援バンドの側面図、
【図７】同筋力トレーニング支援バンドの使用説明図、
【図８】同筋力トレーニング支援バンドの他の使用説明図、
【図９】同筋力トレーニング支援バンドの他の使用説明図、
【発明を実施するための形態】
【００２０】
次に、本発明に係る好適実施形態を挙げ、図面に基づき詳細に説明する。
【００２１】
まず、本実施形態に係る筋力トレーニング支援バンド１の構成について、図１〜図６を参照して説明する。
【００２２】
筋力トレーニング支援バンド１は、基本構成部材として帯状の弾性伸縮部材２を用いる。この弾性伸縮部材２を製造するに際しては、図２に示す模式図のように、幅方向Ｆｗ及び長手方向Ｆｖに用いる繊維糸材３…に加え、幅方向Ｆｗに並べて配した複数本のゴム糸部４…を一緒に縫製することにより、目的の弾性伸縮部材２を得ることができる。この弾性伸縮部材２は偏平な帯状となり、少なくとも長手方向Ｆｖに弾性伸縮可能となる。
【００２３】
この場合、繊維糸材３には、強度（引張強度）及び形状安定性に優れた合成繊維素材や天然繊維素材を含む各種繊維素材を使用できるが、強度（引張強度）及び形状安定性に優れ、かつ肌触りが良好で速乾性及び防皺性にも優れるポリエステル樹脂Ｒｅの使用が望ましい。なお、一本の繊維糸材３は、多数の細い繊維材が複合した糸材である。このように、繊維糸材３…として、ポリエステル樹脂Ｒｅを用いれば、ポリエステル樹脂Ｒｅの物性面に基づく良質な支援バンド１を実現できる利点がある。
【００２４】
また、ゴム糸部４は、図２及び図３に示すように、内側（中心側）に位置するゴム本体部４ｍと外側に位置して当該ゴム本体部４ｍの周面を覆う被覆部４ｓにより構成する。ゴム本体部４ｍの素材にはポリウレタン樹脂Ｒｐ、即ち、ポリウレタンゴムを用いる。このように、ポリウレタン樹脂Ｒｐによるゴム本体部４ｍを用いれば、ポリウレタン樹脂Ｒｐの物性面から支援バンド１のスムースな伸張作用及びゆっくりした戻し作用に寄与できるとともに、紫外線に強く、かつ耐洗濯性にも優れるため、屋外使用や繰返し使用に最適な支援バンド１を得れる利点がある。なお、ゴム本体部４ｍは直径が０．５〔ｍｍ〕前後の断面丸形に形成できる。
【００２５】
一方、被覆部４ｓは、図３に示すように、ゴム本体部４ｍの周面４ｍｆに、ナイロン樹脂Ｒｎを用いたナイロン糸材４ｓｃを螺旋状に巻付けて構成する。例示の場合、並べた２本のナイロン糸材４ｓｃ…を巻き付けた。なお、一本のナイロン糸材４ｓｃは、多数の細い繊維材が複合した糸材である。これにより、ゴム本体部４ｍの周面４ｍｆの全面が被覆部４ｓにより覆われる。また、被覆部４ｓとゴム本体部４ｍの体積割合は、被覆部４ｓを６０〜９０〔％〕、ゴム本体部４ｍを１０〜４０〔％〕に選定することが望ましい。このような被覆部４ｓを設ければ、この被覆部４ｓによりゴム糸本体部４ｍを保護できるため、ゴム糸部４、更には支援バンド１の耐久性を高めることができるとともに、ゴム本体部４ｍのガイド機能を発揮することにより、伸縮作用の安定性及び円滑性を高めることができる利点がある。
【００２６】
そして、以上の繊維糸材３…とゴム糸部４…を用いて弾性伸縮部材２を縫製する。この場合、図２に示すように、繊維糸材３…は、幅方向Ｆｗ及び長手方向Ｆｖの糸、即ち、横糸３ｗ及び縦糸３ｖとして縫製する。また、縫製時には、幅方向Ｆｗに並べて配した複数本のゴム糸部４…を同時に縫い込む。即ち、組紐状の編み組織となるように縫製を行う。なお、幅方向Ｆｗにおけるゴム糸部４…の本数は２０本前後が望ましい。したがって、縦糸として使用する繊維糸材３…の本数も幅方向Ｆｗにおいて２０本前後となる。縦糸３ｖとして使用する繊維糸材３…は、幅方向Ｆｗにおいて、交互に上糸又は下糸となるように使用する。全体の縫製方法は公知の縫製方法を利用可能であり、特定の縫製方法に限定することなく実施できる。
【００２７】
これにより、帯状の弾性伸縮部材２を得ることができ、例示の場合、長手方向Ｆｖにのみ弾性伸縮可能となる。したがって、図４に示すように、外力を付加しない自然状態での長手方向長さＬｏに対して、長手方向Ｆｖに引張力を作用させることにより、長さＬｖまで伸張させることができ、この長さＬｖは長さＬｏに対して概ね２倍程度に設定することが望ましい。なお、弾性伸縮部材２の幅方向Ｆｗの寸法（幅Ｌｗ）は、図５に示すように、概ね２０〜３０〔ｍｍ〕の範囲に選定することが望ましい。
【００２８】
他方、弾性伸縮部材２を製造（縫製）したなら、この弾性伸縮部材２を使用することにより、四つ（一般的には、少なくとも二つ以上）の連続したループメンバ部５ａ，５ｂ…を形成する。なお、四つのループメンバ部５ａ，５ｂ…を予め製作し、この後、各ループメンバ部５ａ，５ｂ…を順次結合して製作することも可能であるが、望ましくは、次のように製作する。
【００２９】
まず、図５及び図６に示すように、弾性伸縮部材２により一つのメインループ部１１を形成する。この場合、メインループ部１１の全周長Ｌｆ（≒Ｌｍ×２）は、概ね２４００〔ｍｍ〕前後に選定することが望ましい。また、メインループ部１１は、対向面を重ね合わせ、二枚重ねのライン状にセットし、所定の位置を縫い合わせることにより、三つの縫合固定部１２ｘ，１２ｙ，１２ｚを設ける。これにより、図６に示すように、同一サイズとなる四つのループメンバ部５ａ，５ｂ，５ｃ，５ｄを形成することができ、各ループメンバ部５ａ，５ｂ…の全周長Ｌｓは概ね５００〜６００〔ｍｍ〕程度となる。なお、各縫合固定部１２ｘ…は、固定強度を高めるため、長手方向Ｆｖにおいて、一定の範囲となる幅Ｌｃ（例えば、１０〔ｍｍ〕程度）にわたって固定することが望ましい。例示の場合、メインループ部１１を製作した後に、各縫合固定部１２ｘ…を設けたが、メインループ部１１と各縫合固定部１２ｘ…の製作は同時に行ってもよい。
【００３０】
各ループメンバ部５ａ…を形成するに際し、このような形成方法を用いれば、支援バンド１の製造容易性をより高めることができるとともに、特に、長手方向Ｆｖにおける十分な引張強度を確保できる利点がある。これにより、図１に示す目的の筋力トレーニング支援バンド１を得ることができる。以上のように、筋力トレーニング支援バンド１のディメンションとしては、図５及び図６に示すように、各ループメンバ部５ａ，５ｂ…における、幅Ｌｗを、２０〜３０〔ｍｍ〕の範囲に選定し、かつ全周長Ｌｓ（≒Ｌｐ×２）を、５００〜６００〔ｍｍ〕の範囲に選定することが望ましい。これにより、手で持ち易くかつ使い易いなど、最も望ましいディメンションを有する形態として実施できる。
【００３１】
よって、このような本実施形態に係る筋力トレーニング支援バンド１によれば、幅方向Ｆｗ及び長手方向Ｆｖに用いる繊維糸材３…と幅方向Ｆｗに並べて配した複数本のゴム糸部４…を縫製して得られる少なくとも長手方向Ｆｖに弾性伸縮可能な帯状の弾性伸縮部材２を用いるため、一時的かつ過度の負荷（パワー）が使用者に作用してしまう弊害を排除し、スムースに伸縮させることができる。したがって、過度の負荷により悪影響を受けやすい怪我のリハビリや運動前の準備運動或いは高齢者に係わる使用者であっても、安心かつ安全に使用することができる。また、帯状の弾性伸縮部材２を使用することにより、少なくとも二つ以上の連続したループメンバ部５ａ，５ｂ…を形成すれば足りるため、全体の構成を単純化させることができる。したがって、製造時の工数低減による製造性及び量産性の向上を図れるとともに、部品点数の削減によるコストダウンにも寄与できる。
【００３２】
しかも、構成が単純となることから、後述するように、使用パターンの自由度が高くなり多様性（多機能性）をより高めることができる。また、各ループメンバ部５ａ，５ｂ…の組合わせが可能になるため、負荷の強度を容易に調整することができる。即ち、例示の場合、四つのループメンバ部５ａ，５ｂ，５ｃ，５ｄを有するため、二重，三重，四重となるように、各ループメンバ部５ａ…を組合わせることができる。これにより、筋肉にかかる強さ（負荷）を二倍，三倍，四倍にすることができ、例えば、今までの強さでは何かもの足りない。或いは、短時間でできるだけ筋肉をつけたい。などの使用者（ユーザ）の要求にも的確に応えることができる。
【００３３】
次に、本実施形態に係る筋力トレーニング支援バンド１の使用方法の一例について、図７〜図９を参照して説明する。
【００３４】
本実施形態に係る筋力トレーニング支援バンド１は、筋力トレーニングの名称に捕らわれることなく、リハビリ、スポーツ、健康、娯楽など、様々な用途に利用（活用）できる。図７（ａ），（ｂ），（ｃ）、図８（ｄ），（ｅ），（ｆ）、図９（ｇ），（ｈ），（ｉ）は、いずれも筋力トレーニング支援バンド１の具体的な使用例を示したものである。以下、具体的に説明する。
【００３５】
図７（ａ），（ｂ），（ｃ）は、肩凝りや肩の痛みの改善を目的としたものである。図７（ａ）は、使用者Ｈの背面に位置させた支援バンド１の下端を一方の手Ｈｐで持つとともに、支援バンド１の上端を他方の手Ｈｑで持ち、この状態で、矢印Ｆｍで示す方向に動かせばよい。即ち、支援バンド１の上端を上方へ引張ったりゆっくり戻す運動を行うことができる。この運動は左右で行う。これにより、両肩の動きを良くし、後ろの筋力をつけることができる。図７（ｂ）は、座った状態において、片足Ｈｈで支援バンド１の一端を抑えるとともに、片手Ｈｐで支援バンド１の他端を持ち、矢印Ｆｍで示す方向へ動かせばよい。即ち、支援バンド１を後ろに伸ばしたりゆっくり戻す運動を行うことができる。これにより、肩の後ろを鍛えることができる。図７（ｃ）は、腕を広げ、支援バンド１の両端をそれぞれ両手Ｈｐ，Ｈｑで持つことにより、矢印Ｆｍで示す方向に動かせばよい。これにより、支援バンド１を左右同時にゆっくり伸ばしたり戻したりする運動を行うことができる。この運動は前後で行う。
【００３６】
図８（ｄ），（ｅ），（ｆ）は、腰と股関節のトレーニングを目的としたものである。図８（ｄ）は、布団などを使い、起き上がれる程度の高さに調節する。そして、支援バンド１の一端に足をかけるとともに、他端を両手で持ち、胸の方に引張りながら、体を矢印Ｆｍで示す方向へ動かせばよい。これにより、上半身をゆっくり起こす運動を行うことができる。図８（ｅ）は、座った状態で、トレーニングを行う一方の足Ｈｈを反対側の膝の上におくように組むとともに、支援バンド１の上端を当該足Ｈｈにかける。一方、支援バンド１の下端は他方の足Ｈｉで固定した状態とし、一方の足Ｈｈを矢印Ｆｍで示す方向に動かせばよい。即ち、支援バンド１の上端をゆっくり上げたり戻したりする運動を行うことができる。これにより、股関節のトレーニングを行うことができる。図８（ｆ）は、支援バンド１の一端を一方の手Ｈｐで床に固定し、他端を他方の手Ｈｑの持つ。そして、膝は伸ばしたまま肘を伸ばし、矢印Ｆｍで示す方向に動かせばよい。即ち、上に向かって支援バンド１を伸ばしたりゆっくり戻す運動を行うことができる。この運動は左右において行う。
【００３７】
図９（ｇ），（ｈ），（ｉ）は、スポーツ関連のトレーニング（スピードトレーニング）を目的としたものである。図９（ｇ）は、仰向けで膝を伸ばし、両足Ｈｈ，Ｈｉのくるぶしと膝の中心に支援バンド１をかけ、矢印Ｆｍで示す方向に各足Ｈｈ又はＨｉを動かせばよい。即ち、各足Ｈｈ又はＨｉを左右交互に上げたり戻す運動を行うことができる。図９（ｈ）は、支援バンド１の後端をパートナーに引張ってもらうか柱等に固定する。そして、手Ｈｑを頭の後ろにおき、支援バンド１の前端を持つことにより、矢印Ｆｍで示す方向に動かせばよい。具体的には、ステップした膝を少しアウトステップ（右投手なら少し右三塁側に出す）ぎみに出し、支援バンド１を前に引張るとともに、十分下半身のためをつくれるように膝を前に出す。また、腰を左側に十分にひねることで肘が捕手の方向を指しながら、左膝１０ｃｍぐらいまでに肘が前に出たところで、ボールをリリースするイメージで支援バンド１を引張ればよく、ボールを投げる要領で手Ｈｑを前に出す運動を行うことができる。図９（ｉ）は、支援バンド１を、腰に巻き付け、パートナーに後ろから引張ってもらう。そして、離れて立ち、矢印Ｆｍで示す方向に体を動かせばよい。これにより、支援バンド１とパートナーからの抵抗に対して前方にランニングする運動を行うことができる。
【００３８】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００３９】
例えば、弾性伸縮部材２は長手方向Ｆｖにのみ弾性伸縮可能な縫製例を挙げたが、長手方向Ｆｖに加え、幅方向Ｌｗに弾性伸縮する場合を排除するものではない。また、例示の弾性伸縮部材２は、断面形状が偏平形状となる帯状形状を例示したが、帯状とは必ずしも断面形状に左右されるものではなく、例えば、断面が円形や楕円形或いは多角形状であってもよい。即ち、断面形状に拘わらず、同様の作用効果を生じるものであれば、帯状の概念に含まれる。さらに、ループメンバ部５ａ，５ｂ…の数として四つを例示したが、少なくとも二つ以上存在すればよく、三つであってもよいし、六つなどの他の数であってもよい。一方、例示した素材や数値は例示である。したがって、素材や数値は例示に限定されることなく各種素材や数値を適用可能である。
【産業上の利用可能性】
【００４０】
本発明に係る筋力トレーニング支援バンドは、リハビリ，スポーツ、健康、娯楽などを目的とし、主に筋力トレーニングを行う各種分野で利用できる。
【符号の説明】
【００４１】
１：筋力トレーニング支援バンド，２：弾性伸縮部材，３…：繊維糸材，４…：ゴム糸部，４ｍ：ゴム本体部，４ｍｆ：ゴム本体部の周面，４ｓ：被覆部，４ｓｃ：ナイロン糸材，５ａ：ループメンバ部，５ｂ：ループメンバ部，５ｃ：ループメンバ部，５ｄ：ループメンバ部，１１：メインループ部，１２ｘ…：縫合固定部，Ｆｗ：幅方向，Ｆｖ：長手方向，Ｒｐ：ポリウレタン樹脂，Ｒｎ：ナイロン樹脂，Ｒｅ：ポリエステル樹脂，Ｌｗ：ループメンバ部の幅，Ｌｆ：ループメンバ部の全周長
【図１】
0006524387.tif 000002
【図２】
0006524387.tif 000003
【図３】
0006524387.tif 000004
【図４】
0006524387.tif 000005
【図５】
0006524387.tif 000006
【図６】
0006524387.tif 000007
【図７】
0006524387.tif 000008
【図８】
0006524387.tif 000009
【図９】
0006524387.tif 000010